【手続補正書】
【提出日】平成25年10月21日(2013.10.21)
【手続補正１】
【補正対象書類名】明細書
【補正対象項目名】００２８
【補正方法】変更
【補正の内容】
【００２８】
【図１】本発明の一実施例としてのネットワークシステムの監視ノード入替前の構成を示す説明図である。
【図２】ネットワークシステム１０における転送経路を模式的に示す説明図である。
【図３】監視ノードを入れ替える際のネットワークシステムの構成を示す説明図である。
【図４】ネットワーク装置の構成を示す説明図である。
【図５】旧監視ノード１００のコンフィグレーションテーブル２１００Ａを示す説明図である。
【図６】中継ノード２００のコンフィグレーションテーブル２１００Ｂを示す説明図である。
【図７】中継ノード３００のコンフィグレーションテーブル２１００Ｃを示す説明図である。
【図８】新監視ノード１１０のコンフィグレーションテーブル２１００Ｄを示す説明図である。
【図９】旧監視ノード１００のリングポート状態テーブル２２００Ａを示す説明図である。
【図１０】中継ノード２００のリングポート状態テーブル２２００Ｂを示す説明図である。
【図１１】中継ノード３００のリングポート状態テーブル２２００Ｃを示す説明図である。
【図１２】新監視ノード１１０のリングポート状態テーブル２２００Ｄを示す説明図である。
【図１３】中継ノード２００のＦＤＢテーブル２３００Ｂを示す説明図である。
【図１４】中継ノード３００のＦＤＢテーブル２３００Ｃを示す説明図である。
【図１５】［監視ノードの入れ替え動作１］の第１段階におけるネットワークシステム１０Ｘの転送経路を模式的に示す説明図である。
【図１６】新監視ノード１１０において実行される監視開始通知フレーム送信処理を示すフローチャートである。
【図１７】中継ノード２００，３００において実行される監視開始通知フレーム受信時処理を示すフローチャートである。
【図１８】監視開始通知フレーム受信時処理を実行した後の中継ノード２００のリングポート状態テーブル２２００Ｂを示す説明図である。
【図１９】監視開始通知フレーム受信時処理を実行した後の中継ノード２００のＦＤＢ状態テーブル２３１０Ｂを示す説明図である。
【図２０】監視開始通知フレーム受信時処理を実行した後の中継ノード３００のリングポート状態テーブル２２００Ｃを示す説明図である。
【図２１】監視開始通知フレーム受信時処理を実行した後の中継ノード３００のＦＤＢ状態テーブル２３１０Ｃを示す説明図である。
【図２２】［監視ノードの入れ替え動作１］の第２段階におけるネットワークシステム１０Ｘの転送経路のその１を模式的に示す説明図である。
【図２３】［監視ノードの入れ替え動作１］の第２段階におけるネットワークシステム１０Ｘの転送経路のその２を模式的に示す説明図である。
【図２４】新監視ノード１１０において実行される移行開始通知フレーム送信処理を示すフローチャートである。
【図２５】［監視ノードの入れ替え動作１］の第３段階におけるネットワークシステム１０Ｘの転送経路を模式的に示す説明図である。
【図２６】中継ノード２００，３００において実行される移行開始通知フレーム受信時処理を示すフローチャートである。
【図２７】新監視ノード１１０において実行される移行開始応答フレーム受信時処理を示すフローチャートである。
【図２８】［監視ノードの入れ替え動作１］の第４段階におけるネットワークシステム１０Ｘの転送経路を模式的に示す説明図である。
【図２９】中継ノード２００，３００において実行される移行終了通知フレーム受信時処理を示すフローチャートである。
【図３０】［監視ノードの入れ替え動作１］の第５段階におけるネットワークシステム１０Ｙの転送経路を模式的に示す説明図である。
【図３１】［監視ノードの入れ替え動作２］の第１段階におけるネットワークシステム１０Ｘの転送経路を模式的に示す説明図である。
【図３２】旧監視ノード１００のリングポート状態テーブル２２００Ａを示す説明図である。
【図３３】中継ノード２００のリングポート状態テーブル２２００Ｂを示す説明図である。
【図３４】中継ノード３００のリングポート状態テーブル２２００Ｃを示す説明図である。
【図３５】中継ノード２００のＦＤＢテーブル２３００Ｂを示す説明図である。
【図３６】中継ノード３００のＦＤＢテーブル２３００Ｃを示す説明図である。
【図３７】監視開始通知フレームＦ１１を受信後の中継ノード２００のリングポート状態テーブル２２００Ｂを示す説明図である。
【図３８】監視開始通知フレームＦ１１を受信後の中継ノード２００のＦＤＢ状態テーブル２３１０Ｂを示す説明図である。
【図３９】監視開始通知フレームＦ１２を受信後の中継ノード３００のリングポート状態テーブル２２００Ｃを示す説明図である。
【図４０】監視開始通知フレームＦ１２を受信後の中継ノード３００のＦＤＢ状態テーブル２３１０Ｃを示す説明図である。
【図４１】［監視ノードの入れ替え動作２］の第２段階におけるネットワークシステム１０Ｘの転送経路を模式的に示す説明図である。
【図４２】障害発生時の新監視ノード１１０のリングポート状態テーブル２２００Ｄを示す説明図である。
【図４３】［監視ノードの入れ替え動作２］の第３段階におけるネットワークシステム１０Ｘの転送経路を模式的に示す説明図である。
【図４４】移行開始通知フレームＦ３１を受信後の中継ノード２００のリングポート状態テーブル２２００Ｂを示す説明図である。
【図４５】移行開始通知フレームＦ３１を受信後の中継ノード２００のＦＤＢ状態テーブル２３１０Ｂを示す説明図である。
【図４６】中継ノード２００が移行開始通知フレームＦ３１を受信し、中継ノード３００は移行開始通知フレームＦ３２を受信していない時のユーザトラフィックの転送経路を示す説明図である。
【図４７】移行開始通知フレームＦ３２を受信後の中継ノード３００のリングポート状態テーブル２２００Ｃを示す説明図である。
【図４８】移行開始通知フレームＦ３２を受信後の中継ノード３００のＦＤＢ状態テーブル２３１０Ｃを示す説明図である。
【図４９】［監視ノードの入れ替え動作２］の第４段階におけるネットワークシステム１０Ｘの転送経路を模式的に示す説明図である。
【図５０】［監視ノードの入れ替え動作２］の第５段階におけるネットワークシステム１０Ｙの転送経路を模式的に示す説明図である。
【手続補正２】
【補正対象書類名】明細書
【補正対象項目名】００４１
【補正方法】変更
【補正の内容】
【００４１】
Ｂ．ネットワーク装置の構成：
図４は、ネットワーク装置の構成を示す説明図である。図には、中継ノードとしての第２のネットワーク装置２００を代表して示したが、他のネットワーク装置１００，３００，１１０も同様の構成を備える。
【手続補正３】
【補正対象書類名】明細書
【補正対象項目名】０１４０
【補正方法】変更
【補正の内容】
【０１４０】
ステップＳ２４０の実行後、リングプロトコル処理部１０００は、ステップＳ２５０に処理を進めて、前記受信した移行開始通知フレームＦ３１，Ｆ３２を、他ネットワーク装置に中継せずに廃棄する。一方、ステップＳ２１０で、移行開始通知フレームＦ３１，Ｆ３２を受信したポートのポート属性２２３０が「加入」でないと判定された場合にも、直ちにステップＳ２５０に処理を進めて、移行開始通知フレームＦ３１，Ｆ３２を廃棄する。ステップＳ２５０の実行後、この移行開始通知フレーム受信時処理を一旦終了する。
【手続補正４】
【補正対象書類名】明細書
【補正対象項目名】０１４４
【補正方法】変更
【補正の内容】
【０１４４】
ステップＳ２７０の実行後、リングプロトコル処理部１０００は、「リターン」に抜けて、移行開始応答フレーム受信時処理を一旦終了する。一方、ステップＳ２６０で否定判定、すなわち、ポート１１１とポート１１２の少なくとも一方で移行開始応答フレームが受信されていないと判定されると、ステップＳ２７０を実行することなく、「リターン」に抜ける。
【手続補正５】
【補正対象書類名】明細書
【補正対象項目名】０１４５
【補正方法】変更
【補正の内容】
【０１４５】
図２８は、［監視ノードの入れ替え動作１］の第４段階におけるネットワークシステム１０Ｘの転送経路を模式的に示す説明図である。図示するように、中継ノード２００のポート２０４から移行開始応答フレームＦ４１が、中継ノード３００のポート３０４から移行開始応答フレームＦ４２がそれぞれ送信されている（図２６のステップＳ２４０による）。また、新監視ノード１１０において、ポート１１１から移行終了通知フレームＦ５１が、ポート１１２から移行終了通知フレームＦ５２がそれぞれ送信されている（図２７のステップＳ２７０による）。なお、移行終了通知フレームＦ５１，Ｆ５２を受信する、新監視ノード１１０に隣接する中継ノード２００，３００は、移行終了通知フレームＦ５１，Ｆ５２を中継しない。ヘルスチェックフレームの転送経路は、図２２，図２３と同一なので、図２８では省略した。
【手続補正６】
【補正対象書類名】明細書
【補正対象項目名】０１９１
【補正方法】変更
【補正の内容】
【０１９１】
中継ノード２００は、ユーザトラフィックＵ５０２を受信すると、リングポート状態テーブル２２００Ｂ（図４４参照）のデータＶＬＡＮの論理的通信状態２２５０が「抑止なし」であるポート２０２、ポート２０３、およびリングプロトコルの制御対象外のポート２０１に対しユーザトラフィックＵ５０２を転送するが、ポート２０２が送信するユーザトラフィックＵ５０２は、障害ＦＬにより廃棄される。また、ポート属性が「加入」と「離脱」のポート間は、ユーザトラフィックの転送を予め抑止している。この結果、中継ノード２００では、ポート２０３には転送されず、ポート２０１のみにユーザトラフィックＵ５０２が転送される。